(57)【要約】【課題】下側半円筒状軸受に供給される潤滑油の量を増加させることが可能なすべり軸受を提供する。【解決手段】上側に配置されるアッパー側軸受１０及び下側に配置されるロア側軸受２０を組み合わせて形成され、クランクジャーナル１ａを回転可能に支持する円筒状の主軸受２であって、ロア側軸受２０は、当該ロア側軸受２０の内周面のうち、クランクジャーナル１ａの回転方向上流側の端部に形成される上流側クラッシュリリーフ２１と、上流側クラッシュリリーフ２１と連通するように、ロア側軸受２０の内周面に形成される油溝２３と、を具備した。【選択図】図３
2015152107.tif 000002
【特許請求の範囲】
【請求項１】
上側に配置される上側半円筒状軸受及び下側に配置される下側半円筒状軸受を組み合わせて形成され、軸部材を回転可能に支持する円筒状のすべり軸受であって、
前記下側半円筒状軸受は、
当該下側半円筒状軸受の内周面のうち、前記軸部材の回転方向上流側の端部に形成される下側クラッシュリリーフと、
前記下側クラッシュリリーフと連通するように、前記下側半円筒状軸受の内周面に形成される下側油溝と、
を具備することを特徴とするすべり軸受。
【請求項２】
前記下側油溝は、
前記下側半円筒状軸受の内周面のうち前記軸部材の回転方向上流側にのみ形成されることを特徴とする、
請求項１に記載のすべり軸受。
【請求項３】
前記上側半円筒状軸受は、
当該上側半円筒状軸受の内周面のうち、前記軸部材の回転方向下流側の端部に形成される上側クラッシュリリーフと、
当該上側半円筒状軸受の内周面と外周面とを連通し、当該上側半円筒状軸受の外周面側から供給されてくる潤滑油を当該上側半円筒状軸受の内周面側へと案内する給油孔と、
前記給油孔と前記上側クラッシュリリーフとを連通するように、前記上側半円筒状軸受の内周面に形成される上側油溝と、
を具備することを特徴とする、
請求項１又は請求項２に記載のすべり軸受。
【請求項４】
クランクジャーナルの外周面とクランクピンの外周面とを連通し、前記クランクジャーナルの外周面から前記クランクピンの外周面へと潤滑油を案内する連通油路を有するクランクシャフトと、
請求項１から請求項３までのいずれか一項に記載のすべり軸受と、
を具備し、
前記すべり軸受によって前記クランクジャーナルが回転可能に支持されることを特徴とする潤滑油供給機構。
【発明の詳細な説明】
【技術分野】
【０００１】
本発明は、一対の半円筒状軸受を組み合わせて形成され、軸部材を回転可能に支持する円筒状のすべり軸受、及びそれを具備する潤滑油供給機構の技術に関する。
【背景技術】
【０００２】
従来、一対の半円筒状軸受を組み合わせて形成され、軸部材を回転可能に支持する円筒状のすべり軸受の技術は公知となっている。例えば、特許文献１に記載の如くである。
【０００３】
特許文献１に記載の半割形状のすべり軸受（半円筒状軸受）は、内周面の両端部に形成されるクラッシュリリーフと、一方のクラッシュリリーフの近傍から他方のクラッシュリリーフの近傍に亘って形成される油溝と、当該油溝とクラッシュリリーフとの間に形成され、油溝内の潤滑油がクラッシュリリーフ内に流入することを阻止する流入阻止部と、を具備している。
【０００４】
このように構成されたすべり軸受においては、油溝とクラッシュリリーフとが連通しないように流入阻止部によって遮られている。したがって、油溝からクラッシュリリーフを介してすべり軸受の外部へと漏れる潤滑油の量を低減することができる。これによって、油溝内の潤滑油をすべり軸受の内周面に十分に供給することができ、潤滑油量の不足による不具合（焼き付きや摩耗等）の発生を抑制することができる。
【０００５】
ここで、特許文献１に記載の技術では、外部からすべり軸受へと供給されてくる潤滑油は、まず上側に配置された半円筒状軸受（以下、単に「上側半円筒状軸受」と記す）の内周面へと案内される。その後、当該潤滑油は上側半円筒状軸受の油溝を流通し、当該上側半円筒状軸受の端部（クラッシュリリーフ）から下側に配置された半円筒状軸受（以下、単に「下側半円筒状軸受」と記す）へと供給される。
【０００６】
しかしながら、特許文献１に記載の技術では、油溝とクラッシュリリーフとの間に流入阻止部が形成されている。このため、下側半円筒状軸受に十分な量の潤滑油が供給され難く、潤滑油の量が不足するおそれがあった。
【先行技術文献】
【特許文献】
【０００７】
【特許文献１】特開２００５−２４９０２４号公報
【発明の概要】
【発明が解決しようとする課題】
【０００８】
本発明は以上の如き状況に鑑みてなされたものであり、その解決しようとする課題は、下側半円筒状軸受に供給される潤滑油の量を増加させることが可能なすべり軸受、及びそれを具備する潤滑油供給機構を提供することである。
【課題を解決するための手段】
【０００９】
本発明の解決しようとする課題は以上の如くであり、次にこの課題を解決するための手段を説明する。
【００１０】
即ち、請求項１においては、上側に配置される上側半円筒状軸受及び下側に配置される下側半円筒状軸受を組み合わせて形成され、軸部材を回転可能に支持する円筒状のすべり軸受であって、前記下側半円筒状軸受は、当該下側半円筒状軸受の内周面のうち、前記軸部材の回転方向上流側の端部に形成される下側クラッシュリリーフと、前記下側クラッシュリリーフと連通するように、前記下側半円筒状軸受の内周面に形成される下側油溝と、を具備したものである。
【００１１】
請求項２においては、前記下側油溝は、前記下側半円筒状軸受の内周面のうち前記軸部材の回転方向上流側にのみ形成されるものである。
【００１２】
請求項３においては、前記上側半円筒状軸受は、当該上側半円筒状軸受の内周面のうち、前記軸部材の回転方向下流側の端部に形成される上側クラッシュリリーフと、当該上側半円筒状軸受の内周面と外周面とを連通し、当該上側半円筒状軸受の外周面側から供給されてくる潤滑油を当該上側半円筒状軸受の内周面側へと案内する給油孔と、前記給油孔と前記上側クラッシュリリーフとを連通するように、前記上側半円筒状軸受の内周面に形成される上側油溝と、を具備したものである。
【００１３】
請求項４においては、クランクジャーナルの外周面とクランクピンの外周面とを連通し、前記クランクジャーナルの外周面から前記クランクピンの外周面へと潤滑油を案内する連通油路を有するクランクシャフトと、請求項１から請求項３までのいずれか一項に記載のすべり軸受と、を具備し、前記すべり軸受によって前記クランクジャーナルが回転可能に支持されるものである。
【発明の効果】
【００１４】
本発明の効果として、以下に示すような効果を奏する。
【００１５】
請求項１においては、軸部材の回転方向上流側から供給される潤滑油が下側油溝に供給され易くなり、ひいては下側半円筒状軸受に供給される潤滑油の量を増加させることができる。
【００１６】
請求項２においては、軸部材を受ける面を広く確保することができる。
【００１７】
請求項３においては、上側半円筒状軸受を介して供給される潤滑油が下側油溝に供給され易くなるため、下側半円筒状軸受に供給される潤滑油の量をより増加させることができる。
【００１８】
請求項４においては、下側半円筒状軸受からクランクピンへと供給される潤滑油の量を増加させることができる。
【図面の簡単な説明】
【００１９】
【図１】クランクシャフトの概略構成を示した側面模式図。
【図２】クランクジャーナルの支持部の構成を示した正面断面図。
【図３】主軸受及びクランクジャーナルを示した正面断面図。
【図４】アッパー側軸受を示した正面断面図。
【図５】ロア側軸受を示した正面断面図。
【図６】（ａ）図４におけるＡ−Ａ断面図。（ｂ）図５におけるＢ−Ｂ断面図。
【図７】アッパー側軸受の下流側端部及びロア側軸受の上流側端部を示した正面断面拡大図。
【発明を実施するための形態】
【００２０】
以下の説明では、図中に示した矢印に従って、上下方向、前後方向及び左右方向を定義する。
【００２１】
まず、図１を用いて、本発明に係るすべり軸受の一実施形態に係る主軸受２が設けられるクランクシャフト１に関する構成、及び当該クランクシャフト１に関する潤滑油供給機構の概略について説明する。
【００２２】
クランクシャフト１は内燃機関（エンジン）を構成する部材であり、ピストンの往復運動を回転運動に変換するためのものである。クランクシャフト１は、主としてクランクジャーナル１ａ、クランクアーム１ｂ、クランクピン１ｃ及び連通油路１ｄを具備する。
【００２３】
クランクジャーナル１ａは本発明に係る軸部材の実施の一形態であり、主軸受２を介してシリンダブロック３に回転可能に支持される。主軸受２には、その外周面と内周面とを連通する貫通孔１４が形成される。クランクピン１ｃはクランクアーム１ｂを介してクランクジャーナル１ａと連結される。クランクピン１ｃは、コンロッド軸受４を介してコンロッド５に回転可能に連結される。連通油路１ｄは、クランクジャーナル１ａの外周面とクランクピン１ｃの外周面とを連通するように、クランクシャフト１内に形成される。
【００２４】
このような構成において、シリンダブロック３に形成された潤滑油路３ｃを介して、図示せぬメインオイルホールからの潤滑油が主軸受２へと供給される。さらに当該潤滑油は、主軸受２の貫通孔１４を介して、当該主軸受２の内周面側へと供給される。当該潤滑油によって主軸受２とクランクジャーナル１ａとの摺動面が潤滑される。
【００２５】
主軸受２の内周面側へと供給された潤滑油は、さらに連通油路１ｄを介してクランクピン１ｃの外周面へと供給される。当該潤滑油によってクランクピン１ｃとコンロッド軸受４との摺動面が潤滑される。
【００２６】
以下では、図２を用いて、クランクジャーナル１ａとシリンダブロック３との連結部（クランクジャーナル１ａの支持部）の構成について説明する。
【００２７】
シリンダブロック３は、本体側ハウジング３ａと、当該本体側ハウジング３ａの下部に固定されるキャップ３ｂとを具備する。本体側ハウジング３ａの下端面には、正面視半円弧状に凹むように軸受部３ｄが形成されている。キャップ３ｂの上端面には、正面視半円弧状に凹むように軸受部３ｅが形成されている。当該軸受部３ｄと軸受部３ｅとの間にクランクジャーナル１ａが挟み込まれるようにして支持される。この際、シリンダブロック３とクランクジャーナル１ａとの間には主軸受２が介装される。
【００２８】
このような構成において、クランクジャーナル１ａが回転（本実施形態においては、正面視時計回りに回転するものとする）すると、当該クランクジャーナル１ａの外周面と主軸受２の内周面との間に、潤滑油路３ｃを介して供給される潤滑油の油膜が形成される。クランクジャーナル１ａは、当該油膜を介してと主軸受２に回転可能に支持される。
【００２９】
以下では、図２から図６までを用いて、主軸受２の構成について詳細に説明する。
【００３０】
図２及び図３に示す主軸受２は、クランクジャーナル１ａを回転可能に支持する円筒状のすべり軸受である。主軸受２は、一対の半円筒状軸受（アッパー側軸受１０及びロア側軸受２０）を具備する。アッパー側軸受１０とロア側軸受２０とを向かい合わせに上下に組み合わせることで、円筒状の主軸受２が形成される。
なお、以下の説明においては、アッパー側軸受１０とロア側軸受２０によって形成される円筒状の主軸受２の軸線（中心線）を軸線Ｃとする。
【００３１】
図３、図４及び図６（ａ）に示すアッパー側軸受１０は、本発明に係る上側半円筒状軸受の実施の一形態であり、主軸受２のうち上半部を形成する部材である。アッパー側軸受１０は半円筒状（円筒を、軸線を通る直径で切断した形状）に形成される。アッパー側軸受１０は、その内周面を下方に向けた状態でシリンダブロック３の本体側ハウジング３ａの軸受部３ｄに配置される（図２参照）。アッパー側軸受１０は、主として上流側クラッシュリリーフ１１、下流側クラッシュリリーフ１２、油溝１３及び貫通孔１４を具備する。
【００３２】
図３及び図４に示す上流側クラッシュリリーフ１１及び下流側クラッシュリリーフ１２は、アッパー側軸受１０の内周面を凹状に切り欠いて形成される部分である。上流側クラッシュリリーフ１１は、アッパー側軸受１０の左下端部（クランクジャーナル１ａの回転方向上流側（以下、単に「上流側」と記す）の端部）に形成される。下流側クラッシュリリーフ１２は、本発明に係る上側クラッシュリリーフの実施の一形態であり、アッパー側軸受１０の右下端部（クランクジャーナル１ａの回転方向下流側（以下、単に「下流側」と記す）の端部）に形成される。アッパー側軸受１０に上流側クラッシュリリーフ１１及び下流側クラッシュリリーフ１２を設けることで、当該アッパー側軸受１０の両端部近傍において変形が生じた場合であっても、不具合（具体的には、変形した部分がクランクジャーナル１ａに局部当たりすること）の発生を防止することができる。
【００３３】
図３、図４及び図６（ａ）に示す油溝１３は、本発明に係る上側油溝の実施の一形態であり、アッパー側軸受１０の内周面において潤滑油を案内すると共に、当該内周面において潤滑油を適宜貯溜するためのものである。油溝１３は、アッパー側軸受１０の内周面に形成される。油溝１３は、アッパー側軸受１０の円周方向に沿って延びるように形成される。油溝１３の一端部（上流側の端部）は上流側クラッシュリリーフ１１と連通される。油溝１３の他端部（下流側の端部）は下流側クラッシュリリーフ１２と連通される。すなわち、油溝１３は上流側クラッシュリリーフ１１と下流側クラッシュリリーフ１２とを連通するように形成される。
【００３４】
油溝１３は、アッパー側軸受１０の前後中央部に形成される（図６（ａ）参照）。油溝１３は、その全域に亘って前後方向に一定の幅となるように形成される。また、油溝１３は、その全域に亘って一定の深さとなるように形成される。ここで、クランクジャーナル１ａに形成された連通油路１ｄの開口部は、前後方向において油溝１３と同一の位置に形成される。これによって、クランクジャーナル１ａが回転して連通油路１ｄの開口部と油溝１３とが対向した場合、当該油溝１３内の潤滑油が連通油路１ｄを介してクランクピン１ｃ（図１参照）へと供給される。
【００３５】
貫通孔１４は、本発明に係る給油孔の実施の一形態であり、アッパー側軸受１０の内周面（より詳細には、油溝１３）と外周面とを連通するものである。貫通孔１４は、アッパー側軸受１０の左右中央部（上端部）に形成される。
【００３６】
図３、図５及び図６（ｂ）に示すロア側軸受２０は、本発明に係る下側半円筒状軸受の実施の一形態であり、主軸受２のうち下半部を形成する部材である。ロア側軸受２０は半円筒状に形成される。ロア側軸受２０は、その内周面を上方に向けた状態でシリンダブロック３のキャップ３ｂの軸受部３ｅに配置される（図２参照）。ロア側軸受２０は、主として上流側クラッシュリリーフ２１、下流側クラッシュリリーフ２２及び油溝２３を具備する。
【００３７】
図３及び図５に示す上流側クラッシュリリーフ２１及び下流側クラッシュリリーフ２２は、ロア側軸受２０の内周面を凹状に切り欠いて形成される部分である。上流側クラッシュリリーフ２１は、本発明に係る下側クラッシュリリーフの実施の一形態であり、ロア側軸受２０の右上端部（上流側の端部）に形成される。下流側クラッシュリリーフ２２は、ロア側軸受２０の左上端部（下流側の端部）に形成される。ロア側軸受２０に上流側クラッシュリリーフ２１及び下流側クラッシュリリーフ２２を設けることで、当該ロア側軸受２０の両端部近傍において変形が生じた場合であっても、不具合（具体的には、変形した部分がクランクジャーナル１ａに局部当たりすること）の発生を防止することができる。
【００３８】
図３、図５及び図６（ｂ）に示す油溝２３は、本発明に係る下側油溝の実施の一形態であり、ロア側軸受２０の内周面において潤滑油を案内すると共に、当該内周面において潤滑油を適宜貯溜するためのものである。油溝２３は、ロア側軸受２０の内周面に形成される。油溝２３は、ロア側軸受２０の円周方向に沿って延びるように形成される。油溝２３は、ロア側軸受２０の内周面の左右中央よりも上流側（図５において、軸線Ｃから鉛直下方に引いた直線Ｖよりも右側）に形成される。具体的には、油溝２３の一端部（上流側の端部）は上流側クラッシュリリーフ２１と連通される。油溝２３の他端部（下流側の端部）は、ロア側軸受２０の内周面の左右中央部（下端部）に位置するように形成される。
【００３９】
油溝２３は、ロア側軸受２０の前後中央部に形成される（図６（ｂ）参照）。この際、クランクジャーナル油溝２３は、その全域に亘って前後方向に一定の幅となるように形成される。また、油溝２３は、その全域に亘って一定の深さとなるように形成される。ここで、クランクジャーナル１ａに形成された連通油路１ｄの開口部は、前後方向において油溝２３と同一の位置に形成される。これによって、クランクジャーナル１ａが回転して連通油路１ｄの開口部と油溝２３とが対向した場合、当該油溝２３内の潤滑油が連通油路１ｄを介してクランクピン１ｃ（図１参照）へと供給される。
【００４０】
以下では、図３を用いて、アッパー側軸受１０及びロア側軸受２０における潤滑油の流れについて説明する。
【００４１】
貫通孔１４を介して外部からアッパー側軸受１０の内周面（油溝１３）へと供給された潤滑油は、重力やクランクジャーナル１ａの回転に伴って当該油溝１３内を下方へと流通する。特に、正面視時計回りに回転するクランクジャーナル１ａによって、当該潤滑油は油溝１３内を正面視時計回りに流通する。油溝１３内を流通する潤滑油の一部がアッパー側軸受１０とクランクジャーナル１ａとの摺動面に供給され、当該摺動面に油膜を形成する。
【００４２】
油溝１３の端部（特に、下流側の端部）まで流通した潤滑油の一部は、下流側クラッシュリリーフ１２を介してアッパー側軸受１０（主軸受２）の外部へと排出される。また、その他の潤滑油は、下流側クラッシュリリーフ１２及び上流側クラッシュリリーフ２１を介してロア側軸受２０の油溝２３へと供給される。当該潤滑油は、正面視時計回りに回転するクランクジャーナル１ａによって、油溝２３内を正面視時計回りに流通する。油溝２３内を流通する潤滑油の一部がロア側軸受２０とクランクジャーナル１ａとの摺動面に供給され、当該摺動面に油膜を形成する。
【００４３】
油溝２３の下流側の端部まで流通した潤滑油は、さらにロア側軸受２０とクランクジャーナル１ａとの摺動面に供給され、当該摺動面に油膜を形成する。当該潤滑油は、クランクジャーナル１ａの回転に伴ってロア側軸受２０の下流側の端部へと供給される。
【００４４】
ロア側軸受２０の下流側の端部まで流通した潤滑油の一部は、下流側クラッシュリリーフ２２を介してロア側軸受２０（主軸受２）の外部へと排出される。また、その他の潤滑油は、下流側クラッシュリリーフ２２及び上流側クラッシュリリーフ１１を介してアッパー側軸受１０の内周面（油溝１３）へと供給される。
【００４５】
ここで、図７に示すように、アッパー側軸受１０の油溝１３とロア側軸受２０の油溝２３は、下流側クラッシュリリーフ１２及び上流側クラッシュリリーフ２１を介して連通されている。従って、アッパー側軸受１０の油溝１３を下流側の端部へと流通してきた潤滑油の一部は下流側クラッシュリリーフ１２から外部へと排出されるものの、その他の潤滑油はロア側軸受２０の油溝２３へと供給される。このように、アッパー側軸受１０から供給される潤滑油を容易にロア側軸受２０へと案内することができるため、当該ロア側軸受２０に供給される潤滑油の量を増加させることができる。これによって、潤滑油の量が不足することによるすべり軸受２（特に、ロア側軸受２０）の焼き付きの発生を抑制することができる。
【００４６】
また、ロア側軸受２０の油溝２３に供給される潤滑油の量を増加させることにより、クランクジャーナル１ａが回転して連通油路１ｄが油溝２３と対向した際に、当該連通油路１ｄを介してクランクピン１ｃへと供給される潤滑油の量も増加させることができる。これによって、当該クランクピン１ｃへと供給される潤滑油の量が不足することによるコンロッド軸受４の焼き付きの発生を抑制することもできる。
【００４７】
以上の如く、本実施形態に係る主軸受２（すべり軸受）は、上側に配置されるアッパー側軸受１０（上側半円筒状軸受）及び下側に配置されるロア側軸受２０（下側半円筒状軸受）を組み合わせて形成され、クランクジャーナル１ａ（軸部材）を回転可能に支持する円筒状の主軸受２であって、ロア側軸受２０は、当該ロア側軸受２０の内周面のうち、クランクジャーナル１ａの回転方向上流側の端部に形成される上流側クラッシュリリーフ２１（下側クラッシュリリーフ）と、上流側クラッシュリリーフ２１と連通するように、ロア側軸受２０の内周面に形成される油溝２３（下側油溝）と、を具備するものである。
【００４８】
このように構成することにより、クランクジャーナル１ａの回転方向上流側から供給される潤滑油が油溝２３に供給され易くなり、ひいてはロア側軸受２０に供給される潤滑油の量を増加させることができる。これによって、潤滑油の量の不足による焼き付きの発生を抑制することができる。
また、本実施形態の如くクランクジャーナル１ａからクランクピン１ｃへと潤滑油を供給する場合、クランクジャーナル１ａ（ロア側軸受２０）からクランクピン１ｃへと供給される潤滑油の量を増加させることができる。これによって、クランクピン１ｃの焼き付きの発生を抑制することができる。
【００４９】
また、油溝２３は、ロア側軸受２０の内周面のうちクランクジャーナル１ａの回転方向上流側（図５における直線Ｖよりも右側）にのみ形成されるものである。
【００５０】
このように構成することにより、クランクジャーナル１ａを受ける面を広く確保することができる。すなわち、クランクジャーナル１ａと摺接するロア側軸受２０の内周面の面積を極力広くなるように確保することで、十分な荷重を支持することができる。
【００５１】
また、アッパー側軸受１０は、当該アッパー側軸受１０の内周面のうち、クランクジャーナル１ａの回転方向下流側の端部に形成される下流側クラッシュリリーフ１２（上側クラッシュリリーフ）と、当該アッパー側軸受１０の内周面と外周面とを連通し、当該アッパー側軸受１０の外周面側から供給されてくる潤滑油を当該アッパー側軸受１０の内周面側へと案内する貫通孔１４（給油孔）と、貫通孔１４と下流側クラッシュリリーフ１２とを連通するように、アッパー側軸受１０の内周面に形成される油溝１３（上側油溝）と、を具備するものである。
【００５２】
このように構成することにより、アッパー側軸受１０を介して供給される潤滑油が油溝２３に供給され易くなるため、ロア側軸受２０に供給される潤滑油の量をより増加させることができる。
【００５３】
また、本実施形態に係る潤滑油供給機構は、クランクジャーナル１ａの外周面とクランクピン１ｃの外周面とを連通し、クランクジャーナル１ａの外周面からクランクピン１ｃの外周面へと潤滑油を案内する連通油路１ｄを有するクランクシャフト１と、主軸受２と、を具備し、主軸受２によってクランクジャーナル１ａが回転可能に支持されるものである。
【００５４】
このように構成することにより、ロア側軸受２０からクランクピン１ｃへと供給される潤滑油の量を増加させることができる。これによって、クランクピン１ｃの焼き付きの発生を抑制することができる。
【００５５】
なお、本実施形態においては、本発明に係るすべり軸受をクランクジャーナル１ａを回転可能に支持する主軸受２に適用した例を示したが、本発明はこれに限るものではない。すなわち、本発明は、その他のすべり軸受（例えば、クランクピン１ｃとコンロッド５との間に介装されるコンロッド軸受４）に適用することも可能である。
【００５６】
また、本実施形態においては、ロア側軸受２０の油溝２３は、当該ロア側軸受２０の内周面の上流側クラッシュリリーフ２１から左右中央部に亘って形成されるものとしたが、本発明はこれに限るものではない。すなわち、油溝２３は、上流側クラッシュリリーフ２１に連通されていれば、その長さを限定するものではない。例えば、油溝２３を本実施形態よりも短く形成することで、クランクジャーナル１ａを受ける面をより広く確保することができる。
【符号の説明】
【００５７】
１    クランクシャフト
１ａ  クランクジャーナル（軸部材）
１ｃ  クランクピン
１ｄ  連通油路
２    主軸受（すべり軸受）
１０  アッパー側軸受（上側半円筒状軸受）
１２  下流側クラッシュリリーフ（上側クラッシュリリーフ）
１３  油溝（上側油溝）
１４  貫通孔（給油孔）
２０  ロア側軸受（下側半円筒状軸受）
２１  上流側クラッシュリリーフ（下側クラッシュリリーフ）
２３  油溝（下側油溝）
【図１】
2015152107.tif 000003
【図２】
2015152107.tif 000004
【図３】
2015152107.tif 000005
【図４】
2015152107.tif 000006
【図５】
2015152107.tif 000007
【図６】
2015152107.tif 000008
【図７】
2015152107.tif 000009